(57)【要約】【課題】オープンショーケースを容易に扉付きのショーケースに変更することができる扉装置を提供する。【解決手段】扉装置Ｄは透明ガラスから構成された扉体３３と、この扉体を開閉自在に保持する枠部材３１を備えており、この枠部材３１の上部は、ショーケース（オープンショーケース）１のキャノピー２２に取付可能な形状とされており、枠部材３１の下部は、ショーケースのハンドレール２７に形成されたフロントガラス挿入用の凹陥溝２８に挿入されて取付可能とされている。【選択図】図１
2012161345.tif 000002
【特許請求の範囲】
【請求項１】
透明壁から構成された扉体と、この扉体を開閉自在に保持する枠部材とを備え、該枠部材の上部は、オープンショーケースのキャノピーに取付可能な形状とされており、前記枠部材の下部は、前記オープンショーケースのハンドレールに形成されたフロントガラス挿入用の凹陥溝に挿入されて取付可能とされていることを特徴とするオープンショーケース用扉装置。
【請求項２】
前記枠部材は上下にレールを備え、前記扉体は上下を前記レールに填め込まれて摺動自在に保持されていることを特徴とする請求項１に記載のオープンショーケース用扉装置。
【請求項３】
前記枠部材には、前記オープンショーケースに取り付けられる温度計の取付部が形成されていることを特徴とする請求項１又は請求項２に記載のオープンショーケース用扉装置。
【請求項４】
開口下縁に位置する断熱壁の前壁上端にハンドレールを備えて成るショーケースであって、
前記開口上縁に設けられたキャノピーを備え、
前記ハンドレールは、上方が開口するフロントガラス挿入用の凹陥溝を有し、
請求項１乃至請求項３のうちの何れかの扉装置の枠部材の上部が前記キャノピーに取り付けられ、下部が前記凹陥溝に挿入されて取り付けられていることを特徴とするショーケース。
【請求項５】
前記開口の上下に形成された冷気吐出口及び冷気吸込口を備え、前記冷気吐出口から冷気を吐出し、冷気吸込口から吸い込むことにより前記開口に冷気エアーカーテンを形成すると共に、前記扉装置は前記冷気吐出口及び冷気吸込口の前側に位置していることを特徴とする請求項４に記載のショーケース。
【発明の詳細な説明】
【技術分野】
【０００１】
本発明は、前面に開口するオープンショーケースに取付可能な扉装置、及び、それが取り付けられたショーケースに関するものである。
【背景技術】
【０００２】
従来よりこの種のオープンショーケースには、前面が開口する貯蔵室が内部に構成される断熱壁の前壁上端に、フロントガラスが立設可能に設けられている。この場合、オープンショーケースの断熱壁の前壁上端にはハンドレールが取り付けられており、このハンドレールに上方に開口する凹陥溝が形成され、フロントガラスはこの凹陥溝に挿入されて取り付けられるものであった（例えば、特許文献１参照）。
【０００３】
また、ハンドレールにフロントガラスを取り付けない使用形態の場合には、カバーにて凹陥溝に蓋をすることができるようにして、使用者の利便性を向上させていた。
【先行技術文献】
【特許文献】
【０００４】
【特許文献１】特開２００７−２２２３０５号公報
【発明の概要】
【発明が解決しようとする課題】
【０００５】
ところで、このようなオープンショーケースは、陳列室の前面が開口しているために商品の取り出しが容易であるものの、陳列室からの冷気漏洩が著しい。これを防止するために開口には冷気エアーカーテンを構成しているが、冷気の漏洩を外気の侵入は避けがたく、冷却効果の低下と消費電力の増加は否めないものであった。
【０００６】
そこで、設置後にオープンショーケースの開口を扉にて開閉自在に閉塞することにより、商品の取出性は多少犠牲にしても冷気漏洩と外気侵入を阻止したいという要望が使用者から寄せられることが多々発生していた。
【０００７】
本発明は、係る従来の技術的課題を解決するために成されたものであり、オープンショーケースを容易に扉付きのショーケースに変更することができる扉装置及びそれを備えたショーケースを提供するものである。
【課題を解決するための手段】
【０００８】
上記課題を解決するために、本発明の扉装置は透明壁から構成された扉体と、この扉体を開閉自在に保持する枠部材とを備えており、この枠部材の上部は、オープンショーケースのキャノピーに取付可能な形状とされており、枠部材の下部は、オープンショーケースのハンドレールに形成されたフロントガラス挿入用の凹陥溝に挿入されて取付可能とされていることを特徴とする。
【０００９】
請求項２の発明のオープンショーケース用扉装置は、上記において枠部材は上下にレールを備え、扉体は上下をレールに填め込まれて摺動自在に保持されていることを特徴とする。
【００１０】
請求項３の発明のオープンショーケース用扉装置は、上記各発明において枠部材には、オープンショーケースに取り付けられる温度計の取付部が形成されていることを特徴とする。
【００１１】
請求項４の発明のショーケースは、開口下縁に位置する断熱壁の前壁上端にハンドレールを備えて成るものであって、開口上縁に設けられたキャノピーを備え、ハンドレールは、上方が開口するフロントガラス挿入用の凹陥溝を有し、請求項１乃至請求項３のうちの何れかの扉装置の枠部材の上部がキャノピーに取り付けられ、下部が凹陥溝に挿入されて取り付けられていることを特徴とする。
【００１２】
請求項５の発明のショーケースは、上記において開口の上下に形成された冷気吐出口及び冷気吸込口を備え、冷気吐出口から冷気を吐出し、冷気吸込口から吸い込むことにより開口に冷気エアーカーテンを形成すると共に、扉装置は冷気吐出口及び冷気吸込口の前側に位置していることを特徴とする。
【発明の効果】
【００１３】
本発明のオープンショーケース用扉装置によれば、透明壁から構成された扉体と、この扉体を開閉自在に保持する枠部材とを備え、この枠部材の上部は、オープンショーケースのキャノピーに取付可能な形状とされており、枠部材の下部は、オープンショーケースのハンドレールに形成されたフロントガラス挿入用の凹陥溝に挿入されて取付可能とされているので、枠部材の上部をオープンショーケースのキャノピーに取り付け、下部を凹陥溝に挿入して取り付けることにより、オープンショーケースに改造を施すこと無く、若しくは、簡単な部品の取り外し／交換のみで、フロントガラス挿入用の凹陥溝を利用し、オープンショーケースを請求項４のような扉付きのショーケースに変更することが可能となる。
【００１４】
これにより、使用者の要望に応じてオープンショーケースでは宿命であった冷気漏洩や外気侵入による不都合を極めて容易に解消することができるようになり、使用者の利便性を著しく向上させることが可能となるものである。
【００１５】
この場合、扉装置の扉体は透明壁にて構成されているので、商品の視認性は阻害されず、陳列効果に支障は生じない。また、扉体を設けることでオープン時に比して商品の取出性は多少阻害されるものの、請求項２の発明の如く枠部材の上下にレールを設け、扉体の上下をレールに填め込んで摺動自在に保持させれば、所謂引き戸式の扉体を開閉するのみで商品を取り出すことができるようになり、取出性の悪化も最小限に抑えられる。
【００１６】
ここで、扉体を回動式とした場合には、解放時に扉体分の面積が開放されてしまうが、請求項２の発明の如き構造とすれば、商品を取り出すのに必要なだけの距離のみ扉体を摺動させることで、冷気漏洩も最小限に抑えられる。
【００１７】
また、請求項３の発明の如く枠部材に、オープンショーケースに取り付けられる温度計の取付部を形成しておけば、オープンショーケースから温度計を取り外して扉装置を取り付けた後、枠体の取付部に当該温度計を取り付けることで、扉装置を取り付けた後も支障なく温度表示を行うことが可能となるものである。
【００１８】
特に、開口の上部に形成された冷気吐出口から冷気を吐出し、下部に形成された冷気吸込口から吸い込むことにより開口に冷気エアーカーテンを形成するオープンショーケースにおいては、請求項５の如く扉装置を冷気吐出口及び冷気吸込口の前側に位置させることで、扉装置が取り付けられた後も当該扉装置の後側に沿って冷気エアーカーテンが依然形成されることになるので、扉体を開放した場合における冷気漏洩と外気侵入を最小限に抑えられるようになるものである。
【図面の簡単な説明】
【００１９】
【図１】本発明を扉装置を取り付けた実施例のショーケースの側面図である。
【図２】図１の扉装置を取り付ける前のショーケースの側面図である。
【図３】図２のショーケースのキャノピー部分の拡大図である。
【図４】図２のショーケースのハンドレール部分の拡大図である。
【図５】本発明の扉装置の一部正面図である。
【図６】図５の扉装置の一部平面図である。
【図７】図５の扉装置下部の縦断側面図である。
【図８】図５の扉装置下部のもう一つの縦断側面図である。
【図９】図５の扉装置上部の縦断側面図である。
【図１０】図５の扉装置上部のもう一つの縦断側面図である。
【図１１】図１のショーケースのキャノピー部分の拡大図である。
【図１２】図１のショーケースのハンドレール部分の拡大図である。
【図１３】図１のショーケースの概略斜視図である。
【発明を実施するための形態】
【００２０】
以下、本発明の実施の形態について、詳細に説明する。図１は本発明の扉装置Ｄを取り付けた状態のショーケース１の側面図を示し、図２は取り付ける前のショーケース１の側面図を示している。扉装置Ｄを取り付ける前の実施例のショーケース１は、図２に示すような通常の縦型のオープンショーケースであり、例えばスーパーマーケットなどの店舗内に据え付けられる。
【００２１】
このショーケース１は、前面に開口する断面略コ字状の断熱壁２と、据え付け現場において断熱壁２の側面に取り付けられた断熱性の側板５、５（図１３。尚、図１、図２では取り外されている。）とから構成されている。ショーケース１の断熱壁２の内側には間隔を存して仕切板４が取り付けられ、仕切板４と断熱壁２間にダクト６が形成されている。
【００２２】
仕切板４下端には底板７が断熱壁２の底壁２Ａとの間にダクト用の間隔を存して取り付けられており、これら仕切板４及び底板７の内側を前面に開口（１４）した陳列室８としている。また、この陳列室８内には背部の支柱に取り付けられる一対のブラケット１１及びこれらに保持された棚板１２が複数段に渡って架設されている。また、各棚板１２の下面前部には、下方の棚板１２上に陳列される商品を照明するための照明灯１３が配設され、陳列室８の天井（後述する冷気吐出口１７の後側）にも照明灯１３が取り付けられて上部より陳列室８内を照明する。
【００２３】
断熱壁２の前面開口１４の上縁にはハニカム材１６が取り付けられた冷気吐出口１７が形成されており、この冷気吐出口１７は、ダクト６に連通している。また、開口１４の下縁には、冷気吸込口１８が形成されている。一方、底板７下方後部には断熱壁２の底壁２Ａ上には送風機１９が複数台設置されている。
【００２４】
仕切板４後方のダクト６内には冷却装置の蒸発器２１が縦設されており、前記送風機１９が運転されると蒸発器２１と熱交換した冷気はダクト６内を上昇せられ、冷気吐出口１７より冷気吸込口１８に向かって吐出される。そして、冷気吸込口１８から吸い込まれた冷気は再び送風機１９によって加速される。これによって、開口１４には冷気エアーカーテンが形成され、この冷気エアーカーテンの一部が陳列室８内に循環される。尚、仕切板４には図示しない冷気吹出口が形成されており、冷気エアーカーテンの一部とこれらから吹き出される冷気によって陳列室８内は所定温度に冷却される。
【００２５】
断熱壁２の天壁２Ｂ前端には図３に拡大して示すようにキャノピー（庇）２２が前方に突出して開口１４の全幅に渡って取り付けられている。このキャノピー２２の内側には反射板２３が設けられており、この反射板２３の前部には前述同様の照明灯１３が取り付けられている。この照明灯１３は下後方の陳列室８に指向しており、庫外から陳列室８内前部及びショーケース１の直前を照明する。また、このキャノピー２２は冷気吐出口１７の前方に位置しており、キャノピー２２と冷気吐出口１７との間には温度計取付板２４が取り付けられ、この温度計取付板２４に陳列室８内の温度を表示するための温度計２６が取り付けられている。
【００２６】
一方、断熱壁２の下側前壁２Ｃには、図４に拡大して示すように冷気吸込口１８の前方に位置してハンドレール２７が取り付けられており、このハンドレール２７には上方が開口する凹陥溝２８が開口１４の全幅に渡って形成されている。この凹陥溝２８は前述した特許文献１の図４に示すようなフロントガラスを挿入して立設するための溝であるが、フロントガラスを使用しない場合には、カバー２９にて塞がれている。
【００２７】
以上のようなショーケース１（オープンショーケース）によれば前面が常時開口（１４）しているため、棚板１２上の商品を自由に取り出すことができると共に、視認性も良好なものであるが、このようなオープンショーケースではどうしても開口１４からの冷気漏洩及び外気侵入による冷却効果の低下と消費エネルギーの増加は否めない。
【００２８】
そこで、係る問題を解消したいと欲する使用者の要望があった場合には、既に店舗に据え付けられているショーケース１に据え付け現場において本発明の扉装置Ｄを取り付ける。次に図５乃至図１３を参照して扉装置Ｄの構造について説明する。扉装置Ｄはショーケース１の開口１４の間口に合致した寸法の枠部材３１と、この枠部材３１の上下辺３１Ａ、３１Ｂにそれぞれ形成された前後二条のレール３２、３２にその上下が摺動自在に填め込まれた複数枚（実施例では４枚使用）の引き戸式扉体３３とから構成されている（図５）。
【００２９】
枠部材３１の左右方向の中央には支柱３４が上下に取り付けられており、この支柱３４の左右に二枚ずつ扉体３３が引き違い式で保持されている（図５、図６）。扉体３３は周囲のサッシュ３６とこのサッシュ３６に填め込まれた透明ガラス（透明壁）３７から成る。サッシュ３６の下辺にはローラ４３が取り付けられており、このローラ４３がレール３２上を滑動する。また、枠部材３１の下辺３１Ｂ前端からは断面Ｌ字状の挿入部３８が降下して設けられている（図７、図８）。
【００３０】
枠部材３１の上辺３１Ａの前面は斜め下方に指向しており、そこには前述した温度計２６を取付可能な温度計取付部３９が形成されている。また、上辺３１Ａ上部からは取付部４１が上方に向けて延在している。この取付部４１は前記キャノピー２２の反射板２３の後部の内側形状に合致し、反射板２３に取付可能な形状を呈している。また、上辺３１Ａの後部には前述したショーケース１の温度計取付部２４の下部形状に合致した形状の取付部４２が設けられている（図９、図１０）。
【００３１】
以上の構成で、扉装置Ｄをショーケース１に取り付ける際には、先ず、ショーケース１のハンドレール２７の凹陥溝２８を塞いでいるカバー２９を外し、温度計２６をショーケース１の温度計取付部２４から取り外す。そして、図５、図６のように支柱３４と共に枠状に組み立てられた状態（扉体３３は取り外されている）の扉装置Ｄの枠部材３１の下辺３１Ｂの挿入部３８をショーケース１の凹陥溝２８内に上から挿入する（図１２）。このとき、挿入部３８は凹陥溝２８の内面形状に合致した寸法のＬ字形状を呈し、挿入された状態でハンドレール２７に取付可能とされている。
【００３２】
次に、上辺３１Ａの取付部４１をショーケース１のキャノピー２２の反射板２３後部の内面に宛がい、同時にショーケース１の温度計取付部２４の下部に取付部４２を填め込む（図１１）。その後、ショーケース１に枠部材３１の挿入部３８をハンドレール２７にネジ止めし、取付部４１をキャノピー２２の反射板２３にネジ止めすると共に、他の箇所もネジ止めしてショーケース１に枠部材３１を固定し、外しておいた温度計２６を温度計取付部３９に取り付ける。そして、最後にレール３２、３２に扉体３３を填め込んで完成する。
【００３３】
この状態でショーケース（オープンショーケース）１の開口１４は扉装置Ｄの扉体３３にて開閉自在に閉塞される。そして、扉装置Ｄは冷気吐出口１７及び冷気吸込口１８の前側に位置しており、冷気吐出口１７から吐出された冷気は扉体３３の内側に沿って降下し、冷気吸込口１８から吸い込まれるようになるので、依然として扉体３３の後側には冷気エアーカーテンが支障無く形成される。従って、扉体３３を開放した状態でも冷気漏洩と外気侵入は最小限に抑えられる。
【００３４】
尚、陳列室８内は同様に冷気エアーカーテンの一部が陳列室８内を循環し、更に仕切板４の冷気吹出口から吹き出される冷気により所定温度に冷却される。
【００３５】
このように、透明ガラス３７から構成された扉体３３と、この扉体３３を開閉自在に保持する枠部材３１とを備えた扉装置Ｄを準備し、枠部材３１の上辺３１Ａの取付部４１をショーケース１のキャノピー２２の反射板２３に取付可能な形状とし、枠部材３１の下辺３１Ｂには、ショーケース１のハンドレール２７に形成されたフロントガラス挿入用の凹陥溝２８に挿入して取付可能としているので、枠部材３１の上辺３１Ａをショーケース１の反射板２３に取り付け、下辺３１Ｂを凹陥溝２８に挿入して取り付けることにより、オープンショーケースであるショーケース１に改造を施すこと無く、若しくは、実施例のようにカバー２９や温度計２６の取り外しのみで、フロントガラス挿入用の凹陥溝２８を利用し、オープンショーケースを扉付きのショーケースに変更することが可能となる。
【００３６】
これにより、使用者の要望に応じてオープンショーケースでは宿命であった冷気漏洩や外気侵入による不都合を極めて容易に解消することができるようになり、使用者の利便性を著しく向上させることが可能となる。
【００３７】
この場合、扉装置Ｄの扉体３３は透明ガラス３７にて構成されているので、商品の視認性は阻害されず、陳列効果に支障は生じない。また、扉体３３を設けることでオープン時に比して商品の取出性は多少阻害されるものの、実施例のように枠部材３１の上下にレール３２を設け、扉体３３の上下をレール３２に填め込んで摺動自在に保持させれば、所謂引き戸式の扉体３３を開閉するのみで商品を取り出すことができるようになり、取出性の悪化も最小限に抑えられる。
【００３８】
ここで、扉体３３を回動式とした場合には、解放時に扉体分の面積が開放されてしまうが、引き戸式とすれば、商品を取り出すのに必要なだけの距離のみ扉体３３を摺動させることで、冷気漏洩も最小限に抑えられる。
【００３９】
また、枠部材３１にショーケース１に取り付けられる温度計２６の温度計取付部３９を形成しているので、ショーケースの温度計取付部２４から温度計２６を取り外して扉装置Ｄを取り付けた後、枠体３１の温度計取付部３９に温度計２６を取り付けることで、扉装置Ｄを取り付けた後も支障なく温度表示を行うことが可能となる。
【００４０】
尚、実施例では扉装置Ｄの扉体３３を引き戸式としたが、請求項１の発明ではそれに限らず、所謂回動式としても本発明は有効である。
【符号の説明】
【００４１】
Ｄ  扉装置
１  ショーケース（オープンショーケース）
２  断熱壁
６  ダクト
８  陳列室
１７  冷気吐出口
１８  冷気吸込口
２２  キャノピー
２３  反射板
２６  温度計
２７  ハンドレール
２８  凹陥溝
３１  枠部材
３２  レール
３３  扉体
３７  透明ガラス
３８  挿入部
４１  取付部
３９  温度計取付部
【図１】
2012161345.tif 000003
【図２】
2012161345.tif 000004
【図３】
2012161345.tif 000005
【図４】
2012161345.tif 000006
【図５】
2012161345.tif 000007
【図６】
2012161345.tif 000008
【図７】
2012161345.tif 000009
【図８】
2012161345.tif 000010
【図９】
2012161345.tif 000011
【図１０】
2012161345.tif 000012
【図１１】
2012161345.tif 000013
【図１２】
2012161345.tif 000014
【図１３】
2012161345.tif 000015